(57)【要約】【課題】  残液量の減少と突き刺し性の双方を満足させることを目的とした液状内容物収容紙製容器の液状内容物注出ポンプを得る。【解決手段】  上面部に穴を形成し、穴を破断可能なフィルムで封止して形成された吸い出し口を有する液状内容物収容紙製容器の、吸い出し口に吸い込み管７を突き刺して液状内容物を吸い込み外部へ注出する液状内容物注出ポンプ１において、吸い込み管７の先端に開口する吸引口１０を傾斜面１１に形成し、傾斜面１１を、吸引口１０の先端を始点Ａとして吸い込み管７の直径方向Ｘの途中に分岐点Ｂを設定し、始点Ａから分岐点Ｂまでを吸い込み管７の軸方向Ｙに対し鋭角に傾斜させた第１傾斜面部１１ａと、分岐点Ｂから吸引口１０の後端となる終点Ｃまでを吸い込み管７の軸方向Ｙに対し鈍角に傾斜させた第２傾斜面部１１ｂとで構成した。【選択図】    図１
2017105498.tif 000002
【特許請求の範囲】
【請求項１】
上面部に穴を形成し、該穴を破断可能なフィルムで封止して形成された吸い出し口を有する液状内容物収容紙製容器の、前記吸い出し口に吸い込み管を突き刺して液状内容物を吸い込み外部へ注出する液状内容物注出ポンプにおいて、
前記吸い込み管の先端に開口する吸引口は傾斜面に形成されており、前記吸引口の前記傾斜面は、前記吸引口の先端を始点として前記吸い込み管の直径方向の途中に分岐点を設定し、前記始点から分岐点までを前記吸い込み管の軸方向に対し鋭角に傾斜させた第１傾斜面部と、前記分岐点から前記吸引口の後端となる終点までを前記吸い込み管の軸方向に対し鈍角に傾斜させた第２傾斜面部とからなることを特徴とする液状内容物収容紙製容器用の液状内容物注出ポンプ。
【請求項２】
前記第１傾斜面部の角度は１５〜４０°、前記第２傾斜面部の角度は４５〜８５°であることを特徴とする請求項１に記載の液状内容物収容紙製容器用の液状内容物注出ポンプ。
【請求項３】
前記第１傾斜面部と前記第２傾斜面部の分岐点は、前記始点から前記吸い込み管の直径方向に向かって、前記吸い込み管の直径の２０％〜５０％の範囲内に設定されていることを特徴とする請求項１または２のいずれか１項に記載の液状内容物収容紙製容器用の液状内容物注出ポンプ。
【請求項４】
前記第２傾斜面部は、前記吸い込み管の後端方向に向かって湾曲していることを特徴とする請求項１乃至３のいずれか１項に記載の液状内容物収容紙製容器用の液状内容物注出ポンプ。
【請求項５】
湾曲する前記第２傾斜面部は、前記第１傾斜面部の延長仮想線及び前記吸引口の後端となる終点を通る前記吸い込み管の軸方向と直交する仮想線を超えない範囲で湾曲していることを特徴とする請求項４に記載の液状内容物収容紙製容器用の液状内容物注出ポンプ。
【請求項６】
前記吸い込み管の直径は、前記液状内容物収容紙製容器の上面部に設けられた前記吸い出し口を形成する前記穴の直径より、少なくとも２ｍｍ以上短いことを特徴とする請求項１乃至５のいずれか１項に記載の液状内容物収容紙製容器用の液状内容物注出ポンプ。
【発明の詳細な説明】
【技術分野】
【０００１】
本発明は、上面部に穴を形成し、該穴を破断可能なフィルムで封止して形成された吸い出し口を有する液状内容物収容紙製容器の、前記吸い出し口に吸い込み管を突き刺して液状内容物を吸い込み外部へ注出する液状内容物注出ポンプに関する。
【背景技術】
【０００２】
従来、上面部に穴を形成し、該穴を破断可能なフィルムで封止して形成された吸い出し口を有する液状内容物収容紙製容器の、前記吸い出し口に吸い込み管を突き刺して液状内容物を吸い込み外部へ注出する液状内容物注出ポンプとして、筒状シリンダ部と、筒状シリンダ部の上部に設けられ、筒状シリンダ部内に摺動自在に嵌合するピストンの操作部を兼ねる注出ノズルと、筒状シリンダ部の下部に設けられ、吸い出し口を突き刺して液状内容物収容紙製容器内に挿入される吸い込み管で構成されたものが知られている（例えば、特許文献１参照。）
【０００３】
特許文献１に記載されている液状内容物注出ポンプに見られるこの種の液状内容物収容紙製容器では、一般に液状内容物収容紙製容器の上面部に有する吸い出し口を形成する穴を封止しているフィルムへの突き刺しを容易に行えるようにするため、吸い込み管の先端に開口する吸引口は傾斜面に形成されている。
【先行技術文献】
【特許文献】
【０００４】
【特許文献１】実開平７−４５０８８号公報
【発明の概要】
【発明が解決しようとする課題】
【０００５】
特許文献１に記載されているような液状内容物注出ポンプでは、液状内容物収容紙製容器内の液状内容物を残さないように注出するため、吸い込み管の長さを、その先端に形成した吸引口が液状内容物収容紙製容器の底部に近接するか、或いは到達する長さに設定している。しかし、吸い込み管の先端に開口する吸引口が傾斜面となっているため、吸い込み管の軸方向における吸引口の長さの範囲にある液状内容物は吸引できず残ってしまうことになる。
そこで、残液量を少なくするためには吸引口を形成する傾斜面を吸い込み管の軸方向に対し鈍角にすれば吸い込み管の軸方向における吸引口の長さが短くなり、残液量を少なくすることができるが、吸い出し口を形成する穴を封止しているフィルムへの突き刺し性が悪くなってしまうといった問題が発生する。
即ち、特許文献１に記載されているような液状内容物注出ポンプでは、残液量を少なくしようとすると突き刺し性が悪くなり、突き刺し性を良くしようとすると残液量が増えるといった問題があった。
【０００６】
本発明の目的は、残液量の減少と突き刺し性の双方を満足させることを目的とした液状内容物収容紙製容器の液状内容物注出ポンプを提供することにある。
【課題を解決するための手段】
【０００７】
上記の目的を達成するために、請求項１に記載の発明は、上面部に穴を形成し、該穴を破断可能なフィルムで封止して形成された吸い出し口を有する液状内容物収容紙製容器の、前記吸い出し口に吸い込み管を突き刺して液状内容物を吸い込み外部へ注出する液状内容物注出ポンプにおいて、前記吸い込み管の先端に開口する吸引口は傾斜面に形成されており、前記吸引口の前記傾斜面は、前記吸引口の先端を始点として前記吸い込み管の直径方向の途中に分岐点を設定し、前記始点から分岐点までを前記吸い込み管の軸方向に対し鋭角に傾斜させた第１傾斜面部と、前記分岐点から前記吸引口の後端となる終点までを前記吸い込み管の軸方向に対し鈍角に傾斜させた第２傾斜面部とからなることを特徴している。
【０００８】
請求項２に記載の発明は、請求項１に記載の、前記第１傾斜面部の角度は１５°〜４０°、前記第２傾斜面部の角度は４５°〜８５°であることを特徴としている。
【０００９】
請求項３に記載の発明は、請求項１または２のいずれか１項に記載の、前記第１傾斜面部と前記第２傾斜面部の分岐点は、前記始点から前記吸い込み管の直径方向に向かって、前記吸い込み管の直径の２０％〜５０％の範囲内に設定されていることを特徴としている。
【００１０】
請求項４に記載の発明は、請求項１乃至３のいずれか１項に記載の、前記第２傾斜面部は、前記吸い込み管の後端方向に向かって湾曲していることを特徴としている。
【００１１】
請求項５に記載の発明は、請求項４に記載の、湾曲する前記第２傾斜面部は、前記第１傾斜面部の延長仮想線及び前記吸引口の後端となる終点を通る前記吸い込み管の軸方向と直交する仮想線を超えない範囲で湾曲していることを特徴としている。
【００１２】
請求項６に記載の発明は、請求項１乃至５のいずれか１項に記載の、前記吸い込み管の直径は、前記液状内容物収容紙製容器の上面部に設けられた前記吸い出し口を形成する前記穴の直径より、少なくとも２ｍｍ以上短いことを特徴としている。
【発明の効果】
【００１３】
請求項１に記載の液状内容物収容紙製容器の液状内容物注出ポンプによれば、前記吸い込み管の先端に開口する前記吸引口は傾斜面に形成されており、前記吸引口の前記傾斜面は、前記吸引口の先端を始点として前記吸い込み管の直径方向の途中に分岐点を設定し、前記始点から分岐点までを前記吸い込み管の軸方向に対し鋭角に傾斜させた前記第１傾斜面部と、前記分岐点から前記吸引口の後端となる終点までを前記吸い込み管の軸方向に対し鈍角に傾斜させた前記第２傾斜面部とからなるので、液状内容物収容紙製容器の前記吸い出し口に吸い込み管を突き刺す際に、先ず、前記吸い込み管の先端に開口する傾斜面に形成された吸引口の鋭角に傾斜させた前記第１傾斜面部が前記吸い出し口を形成する前記穴を封止しているフィルムに容易に突き刺さって破断し、続いて差し込まれる鈍角に傾斜させた前記第２傾斜面部が既に破断しているフィルムを押し広げるようにして突き刺さって破断することから、軽い力で前記吸い込み管を前記吸い出し口に突き刺し前記液状内容物収容紙製容器内に容易に挿入することができる。
また、前記吸い込み管の先端に開口する前記吸引口の前記第２傾斜面部は前記吸い込み管の軸方向に対し鈍角に傾斜しているので、前記吸い込み管の軸方向における前記吸引口の長さが短くなり、残液量を少なくすることができる。
【００１４】
請求項２に記載の液状内容物収容紙製容器の液状内容物注出ポンプによれば、請求項１に記載の、前記第１傾斜面部の角度は１５°〜４０°であるので、前記吸い出し口を形成する前記穴を封止しているフィルムを容易に破断して突き刺すことができ、そして、前記第２傾斜面部の角度は４５°〜８５°であるので、前記吸い込み管の軸方向における前記吸引口の長さを短くすることができ、残液量を少なくすることができる。
【００１５】
請求項３に記載の液状内容物収容紙製容器の液状内容物注出ポンプによれば、請求項１または２のいずれか１項に記載の、前記第１傾斜面部と前記第２傾斜面部の分岐点は、前記始点から前記吸い込み管の直径方向に向かって、前記吸い込み管の直径の２０％〜５０％の範囲内に設定されているので、前記吸い込み管の先端に開口する前記吸引口の第１傾斜面部による前記穴を封止しているフィルムの良好な突き刺し性と、前記第２傾斜面部による残液量の効果的な減少を図ることができる。
【００１６】
請求項４に記載の液状内容物収容紙製容器の液状内容物注出ポンプによれば、請求項１乃至３のいずれか１項に記載の、前記第２傾斜面部は、前記吸い込み管の後端方向に向かって湾曲しているので、前記第１傾斜面部に続いて差し込まれる前記第２傾斜面部は、既に破断しているフィルムを円滑に押し広げるようにして容易に破断することができる。
【００１７】
請求項５に記載の液状内容物収容紙製容器の液状内容物注出ポンプによれば、請求項４に記載の、湾曲する前記第２傾斜面部は、前記第１傾斜面部の延長仮想線及び前記吸引口の後端となる終点を通る前記吸い込み管の軸方向と直交する仮想線を超えない範囲で湾曲しているので、前記第２傾斜面部に続けて差し込まれる前記第２傾斜面部は、既に破断しているフィルムを一層円滑に押し広げるようにして容易に破断することができる。
【００１８】
請求項６に記載の液状内容物収容紙製容器の液状内容物注出ポンプによれば、請求項１乃至５のいずれか１項に記載の、前記吸い込み管の直径は、前記液状内容物収容紙製容器の上面部に設けられた前記吸い出し口を形成する前記穴の直径より、少なくとも２ｍｍ以上短いので、前記吸い込み管を前記吸い出し口に突き刺し前記液状内容物収容紙製容器内に容易に挿入したとき、前記吸い込み管と前記吸い出し口を形成する前記穴の端面、即ち紙端面との間に、少なくとも１ｍｍ以上の距離があることから、紙端面の露出するおそれが低く、液状内容物が紙端面から紙基材に染みこむおそれが低い。
また、前記穴を封止しているフィルムに前記吸い込み管を突き刺したときに伸びたフィルムの収縮により、前記吸い込み管とフィルムとの良好な密着性が得られ、前記液状内容物収容紙製容器空の液状内容物の漏れが防止できる。
【図面の簡単な説明】
【００１９】
【図１】本発明に係る液状内容物収容紙製容器の液状内容物注出ポンプの実施の形態の一例を示す正面図である。
【図２】図１に示す液状内容物注出ポンプの吸い込み管の先端に開口する吸引口の説明図である。
【図３】液状内容物注出ポンプの吸い込み管の先端に開口する吸引口の他例を示す説明図である。
【図４】図１に示す液状内容物注出ポンプの使用例を示す一部縦断説明図である。
【発明を実施するための形態】
【００２０】
以下、本発明に係る液状内容物収容紙製容器の液状内容物注出ポンプの実施の形態の一例を図面を参照して詳細に説明する。
図１は本例の液状内容物収容紙製容器の液状内容物注出ポンプの実施の形態の一例を示す正面図、図２は図１に示す液状内容物注出ポンプの吸い込み管の先端に開口する吸引口の説明図、図３は液状内容物注出ポンプの吸い込み管の先端に開口する吸引口の他例を示す説明図、図４は図１に示す液状内容物注出ポンプの使用例を示す一部縦断説明図である。
【００２１】
本例の液状内容物注出ポンプ１は、筒状シリンダ部２と、筒状シリンダ部２の上部に設けられ、筒状シリンダ部２内に摺動自在に嵌合するピストンの操作部を兼ねる注出ノズル３と、筒状シリンダ部２の下部に設けられ、液状内容物収容紙製容器４の上面部５に有する吸い出し口６に突き刺して液状内容物収容紙製容器４内に挿入する吸い込み管７で構成されている。
【００２２】
液状内容物収容紙製容器４の上面部５に有する吸い出し口６は、上面部５に形成された穴８を破断可能なフィルム９で封止して形成されている。
このように形成された吸い出し口６に突き刺す吸い込み管７の先端に開口する吸引口１０は傾斜面１１に形成されている。
【００２３】
この吸引口１０の傾斜面１１は、吸引口１０の先端を始点Ａとして吸い込み管７の直径方向Ｘの途中に分岐点Ｂを設定し、始点Ａから分岐点Ｂまでを吸い込み管の軸方向Ｙに対し鋭角に傾斜させた第１傾斜面部１１ａと、分岐点Ｂから吸引口１０の後端となる終点Ｃまでを吸い込み管７の軸方向Ｙに対し鈍角に傾斜させた第２傾斜面部１１ｂとで構成されている。
【００２４】
本例では、第１傾斜面部１１ａの角度θ１は１５°〜４０°、第２傾斜面部１１ｂの角度θ２は４５°〜８５°に設定されている。第１傾斜面部１１ａの角度θ１が１５〜４０°であると、吸い出し口６を形成する穴８を封止しているフィルム９を容易に破断して突き刺すことができる。
【００２５】
一方、第１傾斜面部１１ａの角度θ１が１５°未満であると、フィルム９への突き刺し性は良いが、強度が弱く、フィルム９に突き刺したとき曲がって突き刺せなくなってしまうおそれがある。また、第１傾斜面部１１ａの角度θ１が４０°を超えると、フィルム９への突き刺しの際の抵抗が大きく、フィルム９への突き刺しに強い力を要し、容易に突き刺すことができなくなる。
【００２６】
また、第２傾斜面部１１ｂの角度θ２が４５°〜８５°であると、吸い込み管７の軸方向Ｙにおける吸引口１０の長さを短くすることができ、その分残液量を少なくすることができる。一方、第２傾斜面部１１ｂの角度θ２が４５°未満であると、吸い込み管７の軸方向Ｙにおける吸引口１０の長さが長くなってしまい、その分残液量を少なくすることができなくなる。また、第２傾斜面部１１ｂの角度θ２が８５°を超えると、吸い込み管７の軸方向Ｙにおける吸引口１０の長さが一層短くなり、その分残液量をより少なくすることができるが、フィルム９への突き刺しの際の抵抗が大きくなってしまい、フィルム９への突き刺しに強い力を要し、容易に突き刺すことができなくなる。
【００２７】
また、本例では、第１傾斜面部１１ａと第２傾斜面部１１ｂの分岐点Ｂは、始点Ａから吸い込み管７の直径方向Ｘに向かって、吸い込み管７の直径の２０％〜５０％の範囲となるように設定されている。第１傾斜面部１１ａと第２傾斜面部１１ｂの分岐点Ｂが、始点Ａから吸い込み管７の直径方向Ｘに向かって、吸い込み管７の直径の２０％〜５０％の範囲であると、第１傾斜面部１１ａによるフィルム９の良好な突き刺し性が得られ、また、第２傾斜面部１１ｂによる残液量の効果的な減少を図ることができる。
【００２８】
一方、第１傾斜面部１１ａと第２傾斜面部１１ｂの分岐点Ｂが、始点Ａから吸い込み管７の直径方向Ｘに向かって吸い込み管７の直径の２０％未満であると、第１傾斜面部１１ａの直径方向Ｘの距離が短く、第１傾斜面部１１ａのフィルム９へ突き刺しによるフィルム９の破断は僅かとなり、この状態から第２傾斜面部１１ｂがフィルム９に突き刺さることになるので、フィルム９への突き刺し抵抗が大きくなってしまい、フィルム９への突き刺しに強い力を要し、容易に突き刺すことができなくなる。
【００２９】
また、第１傾斜面部１１ａと第２傾斜面部１１ｂの分岐点Ｂが、始点Ａから吸い込み管７の直径方向Ｘに向かって吸い込み管７の直径の５０％を超えると、第２傾斜面部１１ｂの直径方向Ｘの距離が短く、吸い込み管７の軸方向Ｙにおける吸引口１０の長さが長くなってしまい、その分残液量を少なくすることができなくなる。
【００３０】
また、本例では、吸い込み管７の先端に開口する吸引口１０を形成する傾斜面１１を構成する第１傾斜面部１１ａと第２傾斜面部１１ｂは、いずれも直線状に形成されているが、吸い込み管７の先端に開口する吸引口１０の他例として挙げた図３に示すように、第２傾斜面部１１ｂは、吸い込み管７の後端方向に向かって湾曲していてもよい。
湾曲する第２傾斜面部１１ｂは、第１傾斜面部１１ａの延長仮想線Ｌ１及び吸引口１０の後端となる終点Ｃを通る吸い込み管７の軸方向Ｙと直交する仮想線Ｌ２を超えない範囲で湾曲していることが好ましい。
【００３１】
また、吸い込み管７の直径にあっては、液状内容物収容紙製容器４の上面部５に設けられた吸い出し口６を形成する穴８の直径より、少なくとも２ｍｍ以上短くなるように設定されている。吸い込み管７の直径が穴８の直径より２ｍｍ以上短いと、吸い込み管７を吸い出し口６に突き刺し液状内容物収容紙製容器４内に容易に挿入したとき、吸い込み管７と吸い出し口６を形成する穴８の端面、即ち紙端面との間に、少なくとも１ｍｍ以上の距離があることから、紙端面の露出するおそれが低く、液状内容物が紙端面から紙基材に染みこむおそれが低い。
【００３２】
また、吸い込み管７の長さにあっては、液状内容物収容紙製容器４内に挿入したとき、吸引口１０の先端が液状内容物収容紙製容器４の底部１２に近接するか、或いは到達する長さとなっている。
【００３３】
また、本例に示す液状内容物収容紙製容器４にあっては、紙基材の少なくとも内面に熱可塑性樹脂層を有する紙容器素材で形成されており、前記したように、その上面部５に吸い出し口６を有している。吸い出し口６は、上面部５に吸い出し口６となる穴８が形成され、穴８が破断可能なフィルム９で封止されている。本例では、穴８を封止するフィルム９は上面部５の表裏両面に設けられているが、これに限らず、少なくとも接液面側となる上面部５の裏面に設けられていればよい。
このようにすることにより、液状内容物収容紙製容器４の吸い出し口６に吸い込み管７を刺し差し込んだとき、紙端面が液面側に露出するおそれが低く、液状内容物が紙面から紙基材に染みこむおそれが低い。
【００３４】
フィルム９としては、ポリエチレン、ポリプロピレン、ポリエステル、セロファン等の公知のフィルムが使用可能であるが、特に限定されない。フィルム９が熱可塑性樹脂であると、ヒートシールにより上面部７に形成されている穴８を容易に塞ぐことができる。
また、フィルムには、破断性、遮光性、酸素バリア性等の向上を目的としてアルミ箔や紙などを積層してもよい。
【００３５】
また、本例の液状内容物収容紙製容器４の底部１２の形状は、逆切妻屋根状に形成されており、本例では、逆切妻屋根状の底部１２はゲーブルトップの頂部を形成する手順で形成される。
【００３６】
図４は本例の液状内容物注出ポンプの使用例を示している。
図４に示す本例の使用例では、液状内容物収容紙製容器４を収納する外容器１３と、外容器１３の開口部を閉じる蓋体１４が用意され、液状内容物注出ポンプ１は蓋体１４に設けられている。更に詳細には、液状内容物注出ポンプ１の筒状シリンダ部２が蓋体１４に貫通して固定され、蓋体１４の上側に注出ノズル３が配置され、蓋体１４の下側に吸い込み管７が配置されている。
【００３７】
そして、外容器１３の開口部を蓋体１４で閉じたとき、蓋体１４の下側に配置されている吸い込み管７が外容器１３内に収納されている液状内容物収容紙製容器４の上面部５に有する吸い出し口６に突き刺さり、液状内容物収容紙製容器４内へ挿入されるようになっている。
【００３８】
このように構成された液状内容物収容紙製容器４の液状内容物注出ポンプ１によれば、  この吸引口１０の傾斜面１１は、吸引口１０の先端を始点Ａとして吸い込み管７の直径方向Ｘの途中に分岐点Ｂを設定し、始点Ａから分岐点Ｂまでを吸い込み管の軸方向Ｙに対し鋭角に傾斜させた第１傾斜面部１１ａと、分岐点Ｂから吸引口１０の後端となる終点Ｃまでを吸い込み管７の軸方向Ｙに対し鈍角に傾斜させた第２傾斜面部１１ｂとで構成されているので、液状内容物収容紙製容器４の吸い出し口６に吸い込み管７を突き刺す際に、先ず、吸い込み管７の先端に開口する傾斜面１１に形成された吸引口１０の鋭角に傾斜させた第１傾斜面部１１ａが吸い出し口６を形成する穴８を封止しているフィルム９に突き刺さって破断し、続けて差し込まれる鈍角に傾斜させた第２傾斜面部１１ｂは既に破断しているフィルム９を押し広げるようにして突き刺さって破断することから、軽い力で吸い込み管７を吸い出し口６に突き刺し液状内容物収容紙製容器４内に容易に挿入することができる。
また、吸い込み管７の先端に開口する吸引口１０の第２傾斜面部１１ｂは吸い込み管７の軸方向Ｙに対し鈍角に傾斜しているので、吸い込み管７の軸方向における吸引口１０の長さが短くなり、残液量を少なくすることができる。
【００３９】
本例では、第１傾斜面部１１ａの角度θ１が１５〜４０°に設定されているので、吸い出し口６を形成する穴８を封止しているフィルム９を容易に破断して突き刺すことができ、また、第２傾斜面部１１ｂの角度θ２を４５〜８５°に設定しているので、吸い込み管７の軸方向Ｙにおける吸引口１０の長さを短くすることができ、その分残液量を少なくすることができる。
【００４０】
また、本例では、第１傾斜面部１１ａと第２傾斜面部１１ｂの分岐点Ｂは、始点Ａから吸い込み管７の直径方向Ｘに向かって、吸い込み管７の直径の２０％〜５０％の範囲となるように設定されているので、第１傾斜面部１１ａによるフィルム９の良好な突き刺し性と、第２傾斜面部１１ｂによる残液量の効果的な減少を図ることができる。
【符号の説明】
【００４１】
１  液状内容物注出ポンプ
２  筒状シリンダ部
３  注出ノズル
４  液状内容物収容紙製容器
５  上面部
６  吸い出し口
７  吸い込み管
８  穴
９  フィルム
１０  吸引口
１１  傾斜面
１１ａ  第１傾斜面部
１１ｂ  第２傾斜面部
１２  底部
１３  外容器
１４  蓋体
Ａ  始点
Ｂ  分岐点
Ｃ  終点
Ｘ  吸い込み管の直径方向
Ｙ  吸い込み管の軸方向
θ１  第１傾斜面部の角度
θ２  第２傾斜面部の角度
Ｌ１  第１傾斜面部の延長仮想線
Ｌ２  吸引口の後端となる終点を通る吸い込み管の軸方向と直交する仮想線
【図１】
2017105498.tif 000003
【図２】
2017105498.tif 000004
【図３】
2017105498.tif 000005
【図４】
2017105498.tif 000006